(57)【要約】【課題】機器の機能の実行及び設定の入力時において操作ミスを抑制することが可能な入力に係る技術を提供する。【解決手段】入力装置１は機器の機能の実行及び設定に係る入力を受け付ける装置であって、機器の機能に係る機能画像を表示する表示部２と、タッチ領域のタッチされた位置を検知するためのタッチ操作部３と、タッチ操作部３の出力に基づきタッチ領域に対するタッチ操作を判定するとともに表示部２の表示を切り替える制御部１０と、を備える。制御部１０は、タッチ操作部３を介して機能画像に対する第１操作を受け付けた場合に、第１操作を受け付けた機能画像に対するタッチ操作の検知領域を第１操作の前よりも拡大し、第１操作を受け付けた機能画像に対する第２操作を受け付ける。【選択図】図１
2018132937.tif 000002
【特許請求の範囲】
【請求項１】
機器の機能の実行及び設定に係る入力を受け付ける入力装置であって、
前記機能に係る機能画像を表示する表示部と、
タッチ領域のタッチされた位置を検知するためのタッチ操作部と、
前記タッチ操作部の出力に基づき前記タッチ領域に対するタッチ操作を判定するとともに前記表示部の表示を切り替える制御部と、
を備え、
前記制御部は、前記タッチ操作部を介して前記機能画像に対する第１操作を受け付けた場合に、前記第１操作を受け付けた前記機能画像に対するタッチ操作の検知領域を前記第１操作の前よりも拡大し、前記第１操作を受け付けた前記機能画像に対する第２操作を受け付けることを特徴とする入力装置。
【請求項２】
前記制御部は、前記第１操作を受け付けた前記機能画像に対するタッチ操作の検知領域を前記第１操作の前よりも拡大し、予め定めた所定期間を経過した場合に、従前の前記第１操作と当該第１操作に伴う前記検知領域の拡大とを解除するとともに、前記第１操作を受け付けた前記機能画像の近隣の別の前記機能画像に対するタッチ操作の検知領域を前記第１操作の前よりも拡大することを特徴とする請求項１に記載の入力装置。
【請求項３】
前記表示部の画面に表示された複数の前記機能画像の密集度を記憶する記憶部を備え、
前記制御部は、前記密集度が予め定めた所定値を超え、且つ前記機能画像に対する前記第１操作を受け付けた場合に、前記第１操作を受け付けた前記機能画像に対するタッチ操作の検知領域を前記第１操作の前よりも拡大することを特徴とする請求項１または請求項２に記載の入力装置。
【請求項４】
前記制御部は、前記機能画像に対するタッチ操作の検知領域を前記第１操作の前よりも拡大する場合に、前記第１操作の前の前記機能画像の位置を中心として拡大することを特徴とする請求項１〜請求項３のいずれかに記載の入力装置。
【請求項５】
前記制御部は、前記機能画像に対するタッチ操作の検知領域を前記第１操作の前よりも拡大する場合に、前記表示部の画面の中央を中心として拡大することを特徴とする請求項１〜請求項３のいずれかに記載の入力装置。
【請求項６】
前記制御部は、前記機能画像に対するタッチ操作の検知領域を前記第１操作の前よりも拡大する場合に、前記表示部の画面の全体に拡大することを特徴とする請求項１〜請求項３のいずれかに記載の入力装置。
【請求項７】
前記制御部は、前記機能画像に対するタッチ操作の検知領域を前記第１操作の前よりも拡大する場合に、当該検知領域に近隣の別の前記機能画像に対するタッチ操作の検知領域を併合することを特徴とする請求項１〜請求項３のいずれかに記載の入力装置。
【請求項８】
前記制御部は、検知領域を併合した前記近隣の別の前記機能画像を前記第１操作を受け付けた前記機能画像と同じ画像に変更することを特徴とする請求項７に記載の入力装置。
【請求項９】
機器の機能の実行及び設定に係る入力を受け付ける入力方法であって、
表示部に表示された前記機能に係る機能画像に対する第１操作を受け付ける工程と、
前記第１操作を受け付けた前記機能画像に対するタッチ操作の検知領域を前記第１操作の前よりも拡大する工程と、
前記第１操作を受け付けた前記機能画像に対する第２操作を受け付ける工程と、
を含むことを特徴とする入力方法。
【請求項１０】
機器の機能の実行及び設定に係る入力を受け付ける入力プログラムであって、
コンピュータに、
表示部に表示された前記機能に係る機能画像に対する第１操作を受け付ける処理と、
前記第１操作を受け付けた前記機能画像に対するタッチ操作の検知領域を前記第１操作の前よりも拡大する処理と、
前記第１操作を受け付けた前記機能画像に対する第２操作を受け付ける処理と、
を実行させることを特徴とする入力プログラム。
【発明の詳細な説明】
【技術分野】
【０００１】
本発明は、入力装置、入力方法及び入力プログラムに関する。
【背景技術】
【０００２】
昨今、自動車のナビゲーション装置や金融機関のＡＴＭ端末、駅の券売機、携帯ゲーム機、スマートフォン、タブレット端末等の幅広い分野で入力装置が用いられている。これらは、対応する機器の機能の実行及び設定に係る入力を、例えばタッチ操作部から受け付ける。このような入力装置の従来技術の一例が特許文献１に開示されている。
【０００３】
特許文献１に記載された従来の携帯情報端末は表示部と、文字が記載された押しボタンと、を備える。この携帯情報端末は、押しボタンに触れられると、押しボタンに記載された文字を拡大して表示部に表示させる。これにより、押しボタンに記載された文字を容易に視認することが可能になる。
【先行技術文献】
【特許文献】
【０００４】
【特許文献１】特開２００８−２４２９１７号公報
【発明の概要】
【発明が解決しようとする課題】
【０００５】
しかしながら、特許文献１に記載の従来技術は押しボタン自体が比較的小さいことで、所望の押しボタンにうまく触れることができず、意図しない押しボタンの操作が確定されてしまう虞があることが課題であった。このようにして、操作ミスが起こることが懸念された。
【０００６】
本発明は、上記の課題に鑑みなされたものであり、機器の機能の実行及び設定の入力時において操作ミスを抑制することが可能な入力に係る技術を提供することを目的とする。
【課題を解決するための手段】
【０００７】
本発明に係る入力装置は、機器の機能の実行及び設定に係る入力を受け付ける入力装置であって、前記機能に係る機能画像を表示する表示部と、タッチ領域のタッチされた位置を検知するためのタッチ操作部と、前記タッチ操作部の出力に基づき前記タッチ領域に対するタッチ操作を判定するとともに前記表示部の表示を切り替える制御部と、を備え、前記制御部は、前記タッチ操作部を介して前記機能画像に対する第１操作を受け付けた場合に、前記第１操作を受け付けた前記機能画像に対するタッチ操作の検知領域を前記第１操作の前よりも拡大し、前記第１操作を受け付けた前記機能画像に対する第２操作を受け付ける構成（第１の構成）である。
【０００８】
また、上記第１の構成の入力装置において、前記制御部は、前記第１操作を受け付けた前記機能画像に対するタッチ操作の検知領域を前記第１操作の前よりも拡大し、予め定めた所定期間を経過した場合に、従前の前記第１操作と当該第１操作に伴う前記検知領域の拡大とを解除するとともに、前記第１操作を受け付けた前記機能画像の近隣の別の前記機能画像に対するタッチ操作の検知領域を前記第１操作の前よりも拡大する構成（第２の構成）であっても良い。
【０００９】
また、上記第１または第２の構成の入力装置において、前記表示部の画面に表示された複数の前記機能画像の密集度を記憶する記憶部を備え、前記制御部は、前記密集度が予め定めた所定値を超え、且つ前記機能画像に対する前記第１操作を受け付けた場合に、前記第１操作を受け付けた前記機能画像に対するタッチ操作の検知領域を前記第１操作の前よりも拡大する構成（第３の構成）であっても良い。
【００１０】
また、上記第１〜第３の構成の入力装置において、前記制御部は、前記機能画像に対するタッチ操作の検知領域を前記第１操作の前よりも拡大する場合に、前記第１操作の前の前記機能画像の位置を中心として拡大する構成（第４の構成）であっても良い。
【００１１】
また、上記第１〜第３の構成の入力装置において、前記制御部は、前記機能画像に対するタッチ操作の検知領域を前記第１操作の前よりも拡大する場合に、前記表示部の画面の中央を中心として拡大する構成（第５の構成）であっても良い。
【００１２】
また、上記第１〜第３の構成の入力装置において、前記制御部は、前記機能画像に対するタッチ操作の検知領域を前記第１操作の前よりも拡大する場合に、前記表示部の画面の全体に拡大する構成（第６の構成）であっても良い。
【００１３】
また、上記第１〜第３の構成の入力装置において、前記制御部は、前記機能画像に対するタッチ操作の検知領域を前記第１操作の前よりも拡大する場合に、当該検知領域に近隣の別の前記機能画像に対するタッチ操作の検知領域を併合する構成（第７の構成）であっても良い。
【００１４】
また、上記第７の構成の入力装置において、前記制御部は、検知領域を併合した前記近隣の別の前記機能画像を前記第１操作を受け付けた前記機能画像と同じ画像に変更する構成（第８の構成）であっても良い。
【００１５】
また、本発明に係る入力方法は、機器の機能の実行及び設定に係る入力を受け付ける入力方法であって、機器の機能の実行及び設定に係る入力を受け付ける入力方法であって、表示部に表示された前記機能に係る機能画像に対する第１操作を受け付ける工程と、前記第１操作を受け付けた前記機能画像に対するタッチ操作の検知領域を前記第１操作の前よりも拡大する工程と、前記第１操作を受け付けた前記機能画像に対する第２操作を受け付ける工程と、を含む構成（第９の構成）である。
【００１６】
また、本発明に係る入力プログラムは、機器の機能の実行及び設定に係る入力を受け付ける入力プログラムであって、コンピュータに、表示部に表示された前記機能に係る機能画像に対する第１操作を受け付ける処理と、前記第１操作を受け付けた前記機能画像に対するタッチ操作の検知領域を前記第１操作の前よりも拡大する処理と、前記第１操作を受け付けた前記機能画像に対する第２操作を受け付ける処理と、を実行させる構成（第１０の構成）である。
【発明の効果】
【００１７】
本発明の構成によれば、第１操作時にその操作が仮確定され、本確定のための第２操作時には拡大された検知領域に対して入力を行うことができる。したがって、機器の機能の実行及び設定の入力時において操作ミスを抑制することが可能になる。
【図面の簡単な説明】
【００１８】
【図１】第１実施形態の入力装置の概略構成を示す図である。
【図２】第１実施形態の入力装置が搭載された車室の内部を後方から視た部分概略図である。
【図３】第１実施形態の入力装置による入力処理の流れの例を示すフローチャートである。
【図４】第１実施形態の入力装置の表示部における機能の第１選択状態を示す正面図である。
【図５】第１実施形態の入力装置の表示部における機能の第２選択状態を示す正面図である。
【図６】第１実施形態の入力装置の変形例の表示部における機能の第２選択状態を示す正面図である。
【図７】第２実施形態の入力装置による入力処理の流れの例を示すフローチャートである。
【図８】第２実施形態の入力装置の表示部における機能の選択過程を示す図である。
【図９】第３実施形態の入力装置の概略構成を示す図である。
【図１０】第３実施形態の入力装置による入力処理の流れの例を示すフローチャートである。
【図１１】第４実施形態の入力装置の表示部における機能の選択過程を示す図である。
【図１２】第５実施形態の入力装置の表示部における機能の選択過程を示す図である。
【図１３】第５実施形態の入力装置の変形例の表示部における機能の第２選択状態を示す図である。
【図１４】第６実施形態の入力装置の表示部における機能の選択過程を示す図である。
【図１５】第６実施形態の入力装置の変形例の表示部における機能の第２選択状態を示す図である。
【図１６】第７実施形態の入力装置の概略構成を示す図である。
【図１７】第７実施形態の入力装置が搭載された車室の内部を後方から視た部分概略図である。
【発明を実施するための形態】
【００１９】
以下、本発明の例示的な実施形態について、図面を参照しながら詳細に説明する。なお、本発明は以下の内容に限定されるものではない。
【００２０】
＜１．第１実施形態＞
＜１−１．入力装置の構成＞
図１は、第１実施形態の入力装置１の概略構成を示す図である。図２は、入力装置１が搭載された車室の内部を後方から視た部分概略図である。
【００２１】
入力装置１は、図１に示す表示部２、タッチ操作部３、制御部１０及び記憶部２０を備える。入力装置１は、例えば図２に示すように車両のダッシュボードの中央部であって、運転者が視認可能、且つ操作可能な位置に設けられる。入力装置１は車両に設けられたナビゲーション装置、オーディオ装置、テレビ装置といった機器の機能の実行及び設定に係る入力を受け付ける。
【００２２】
表示部２は、例えば液晶表示パネルで構成される。表示部２は入力装置１の表面に設けられ、その表示面（画面）が車両の車室内に臨む。表示部２は制御部１０からの指令を受信し、各種の情報を表示する。
【００２３】
タッチ操作部３は、例えば静電容量式のタッチパネルで構成される。タッチ操作部３はその表面であるタッチ領域がユーザーの手の指先等の被検出体でタッチされると、被検出体の検出位置に対応する電極の静電容量が変化する。これにより、タッチ操作部３はタッチ領域のタッチされた位置を検知し、その静電容量の変化を検知信号として出力する。タッチ操作部３の出力信号は制御部１０に送信される。
【００２４】
タッチ操作部３は表示部２の画面上に重ねて配置される。これにより、表示部２の画面の全体がタッチ操作部３のタッチ領域となる。
【００２５】
制御部１０は、図示しないＣＰＵ（Central Processing Unit）、ＲＡＭ（Random Access Memory）、ＲＯＭ（Read Only Memory）を備えるコンピュータである。制御部１０は記憶部２０に記憶されたプログラム２１に基づいてＣＰＵが演算処理を行い、入力装置１の全体を統括的に制御する。例えば、制御部１０はタッチ操作部３の出力に基づきタッチ領域に対するタッチ操作を判定するとともに、表示部２の表示を切り替える。
【００２６】
制御部１０はプログラム２１に基づいてＣＰＵが演算処理を行うことで実現される機能の一部として、表示制御部１１及び操作判定部１２を備える。
【００２７】
表示制御部１１は表示部２の表示内容を制御する。表示制御部１１は、例えば機器の機能の実行及び設定に係る入力を受け付けるに際し、その機能に係る機能画像を表示部２に表示させる。なお、機能画像はナビゲーション装置、オーディオ装置、テレビ装置といった機器の各機能に対応する画像であって、例えばアイコン、ボタン、タブ、スライドバー、ソフトキー、チェックボックスなどから成る。ユーザーは表示部２に表示された機能画像をタッチ操作部３を介してタッチして選択することで、機器の機能の実行及び設定を行うことが可能になる。
【００２８】
操作判定部１２はタッチ操作部３が出力した検出信号を受信し、その検出信号に基づいてタッチ領域に対する操作内容を判定する。操作判定部１２はタッチ領域における位置情報に加えて、タップ、ドラッグ、フリックなどの操作を判定する。また、ドラッグ、フリックなどの移動を伴う操作である場合、その移動方向、移動量等についても判定する。
【００２９】
＜１−２．入力装置による入力処理＞
続いて、入力装置１による入力処理の流れについて説明する。図３は、入力装置１による入力処理の流れの例を示すフローチャートである。図４は、入力装置１の表示部２における機能の第１選択状態を示す正面図である。図５は、入力装置１の表示部２における機能の第２選択状態を示す正面図である。
【００３０】
例えば、車両に設けられたオーディオ装置が起動されると（図３の「開始」）、入力装置１では制御部１０が、図４に示すように表示部２にオーディオ装置の機能に係る機能画像であるアイコンを表示させる（図３のステップＳ１１）。
【００３１】
表示部２の画面には、例えば所定の機能Ｘに係るアイコン２ｘ、機能Ｙに係るアイコン２ｙ、機能Ｚに係るアイコン２ｚ、その他複数の機能に係るアイコンが表示される。さらに、タッチ操作部３のタッチ領域には、各アイコンに対応付けられた検知領域が各アイコンに重ねて設けられる。例えば、機能Ｘに係るアイコン２ｘの検知領域３ｘ、機能Ｙに係るアイコン２ｙの検知領域３ｙ、機能Ｚに係るアイコン２ｚの検知領域３ｚ等が設けられる。検知領域３ｘ、３ｙ、３ｚ等のサイズはアイコン２ｘ、２ｙ、２ｚ等のサイズに対して若干大きい。
【００３２】
次に、制御部１０は表示部２の画面上のアイコンに対して１回目の選択操作、すなわち第１操作がなされたか否かを、タッチ操作部３及び操作判定部１２を介して検知する（図３のステップＳ１２）。表示部２の画面上のアイコンに対して第１操作がなされていない間、入力装置１は待機状態となる（ステップＳ１２のＮｏ）。
【００３３】
ユーザーはその手指Ｆで、これらのアイコンを任意に選択することができる。例えば、ユーザーが機能Ｙに係るアイコン２ｙにタッチすると、タッチ操作部３が検知領域３ｙにタッチされたことを検知し、その検知信号を出力する。そして、制御部１０が操作判定部１２を介して、タッチ操作部３の出力に基づき検知領域３ｙに対するタッチ操作を判定する。
【００３４】
そして、例えば表示部２の画面上の機能Ｙに係るアイコン２ｙに対して第１操作がなされた場合（ステップＳ１２のＹｅｓ）、アイコン２ｙに対する選択操作が仮確定され、制御部１０はアイコン２ｙに対する本確定のためにアイコン２ｙの検知領域３ｙを第１操作の前よりも拡大する（ステップＳ１３）。すなわち、制御部１０はアイコン２ｙに対する第１操作を受け付けた場合に、アイコン２ｙに対するタッチ操作の検知領域３ｙを第１操作の前よりも拡大し、アイコン２ｙに対する第２操作を受け付ける。
【００３５】
このとき、制御部１０は、図５に示すようにアイコン２ｙの画像自体のサイズと、その検知領域３ｙのサイズをともに第１操作の前よりも拡大する。アイコン２ｙ及びその検知領域３ｙは第１操作の前のアイコン２ｙの位置を中心として拡大される。それに伴って、アイコン２ｘ、２ｚ及びその他のアイコン及び検知領域のサイズは第１操作の前よりも縮小される。
【００３６】
次に、制御部１０は表示部２の画面上のアイコン２ｙに対して２回目の選択操作、すなわち第２操作がなされたか否かを、タッチ操作部３及び操作判定部１２を介して検知する（図３のステップＳ１４）。表示部２の画面上のアイコンに対して操作がなされていない間、入力装置１は待機状態となる（ステップＳ１４のＮｏ）。
【００３７】
そして、続いてアイコン２ｙに対して第２操作がなされた場合（ステップＳ１４のＹｅｓ）、アイコン２ｙに対する選択操作が本確定され、制御部１０は入力装置１によるオーディオ装置に係る入力処理を終了する（図３の「終了」）。オーディオ装置に対しては機能Ｙの実行の指令が送信される。
【００３８】
上記第１実施形態のように、入力装置１は、制御部１０がオーディオ装置のアイコン２ｙに対する第１操作を受け付けた場合に、アイコン２ｙに対するタッチ操作の検知領域３ｙを第１操作の前よりも拡大し、アイコン２ｙに対する第２操作を受け付ける。これにより、第１操作時にアイコン２ｙの選択操作が仮確定され、本確定のための第２操作時には拡大された検知領域３ｙに対して入力を行うことができる。したがって、機器の機能の実行及び設定の入力時において操作ミスを抑制することが可能になる。
【００３９】
また、上記構成の入力装置１は、制御部１０がアイコン２ｙに対するタッチ操作の検知領域３ｙを拡大する場合に、第１操作の前のアイコン２ｙの位置を中心として拡大する。これにより、ユーザーは手指Ｆを画面に沿って他の場所に移動させることなく、その場でアイコン２ｙに対する第２操作を行って、アイコン２ｙの選択操作を本確定させることができる。したがって、機器の機能の実行及び設定の入力時において操作ミスを抑制する作用を向上させることが可能になる。
【００４０】
＜１−３．第１実施形態の入力装置の変形例＞
続いて、入力装置１の変形例について説明する。図６は、入力装置１の変形例の表示部２における機能の第２選択状態を示す正面図である。
【００４１】
制御部１０はオーディオ装置のアイコン２ｙに対するタッチ操作の検知領域３ｙを拡大する場合に、例えば図６に示すように検知領域３ｙのみを第１操作の前のアイコン２ｙの位置を中心として拡大する。すなわち、アイコン２ｘ、２ｙ、２ｚ等の画像自体のサイズは拡大されない。また、検知領域３ｙの拡大に伴って、検知領域３ｘ、３ｚ及びその他の検知領域のサイズは第１操作の前よりも縮小される。
【００４２】
このようにして、アイコン２ｙに対して第１操作を行った後も、表示部２の画面表示は変わらないので、その他のアイコンに対する視認性が保持される。したがって、アイコン２ｙに対する第１操作の後、他のアイコンに対する選択操作を容易に行うことができる。すなわち、入力時の操作ミスの抑制に加えて、オーディオ装置に対する操作性を向上させることが可能になる。
【００４３】
なおこのとき、画面の全体的な表示自体は変わらないので、アイコン２ｙに対して第１操作を行ったことを明確にするために、例えばアイコン２ｙを他のアイコンと比較して明るく表示させるなどの処理を行うことにしても良い。
【００４４】
＜２．第２実施形態＞
次に、第２実施形態について説明する。図７は、入力装置１による入力処理の流れの例を示すフローチャートである。図８は、入力装置１の表示部２における機能の選択過程を示す図である。なお、第２実施形態の基本的な構成は先に説明した第１実施形態と同じであるので、第１実施形態と異なる構成要素については以下で説明し、第１実施形態と共通する構成要素については詳細な説明を省略する。
【００４５】
第２実施形態の入力装置１では、例えばオーディオ装置が起動されると（図７の「開始」）、表示部２にオーディオ装置の機能に係る機能画像であるアイコン等（図４参照）が表示される（図７のステップＳ２１）。続いて、例えば表示部２の画面上の機能Ｙに係るアイコン２ｙに対して第１操作がなされた場合（ステップＳ２２のＹｅｓ）、アイコン２ｙに対する選択操作が仮確定され、制御部１０はアイコン２ｙに対する本確定のためにアイコン２ｙの検知領域３ｙを拡大する（ステップＳ２３）。入力装置１では、例えば図８の上段に示すように第１操作の前よりも拡大されたアイコン２ｙ及びその検知領域３ｙが設けられる。
【００４６】
そして、表示部２の画面上のアイコン２ｙに対して第２操作を検知しない場合（ステップＳ２４のＮｏ）、制御部１０は予め定めた所定期間を経過したか否かを判定する（ステップＳ２５）。ここで、この所定期間としては例えば１０秒が設定され、記憶部２０に予め記憶される。この所定期間の間、入力装置１は待機状態となる（ステップＳ２５のＮｏ）。
【００４７】
アイコンに対する操作を検知せず、所定期間が経過した場合（ステップＳ２５のＹｅｓ）、制御部１０は従前のアイコン２ｙに対する第１操作と、当該第１操作に伴うアイコン２ｙの検知領域３ｙの拡大と、を解除する（ステップＳ２６）。続いて、制御部１０は従前に第１操作を受け付けたアイコン２ｙの近隣の別のアイコン、例えば機能Ｘに係るアイコン２ｘに第１操作の状態を変更する（ステップＳ２７）。
【００４８】
そして、ステップＳ２３に戻って、制御部１０は、図８の下段に示すように機能Ｘに係るアイコン２ｘに対するタッチ操作の検知領域３ｘを第１操作の前よりも拡大する。
【００４９】
上記第２実施形態のように、入力装置１の制御部１０は、オーディオ装置の機能の実行に係る入力としてアイコン２ｙの第１操作を受け付けた場合に、予め定めた所定期間（例えば１０秒）の間、アイコン２ｙに対する第２操作を第１操作の前よりも拡大された検知領域３ｙで検知する。これにより、ユーザーはアイコン２ｙに対する第１操作を行ってから所定期間の間のみ、アイコン２ｙに対する第２操作を行って、その選択操作を確定させることができる。したがって、第２操作を受け付けるための待機状態が長期化することを防止することができ、その間の誤操作の発生を抑制することが可能になる。
【００５０】
さらに、制御部１０は、予め定めた所定期間（例えば１０秒）を経過した場合に、従前のアイコン２ｙに対する第１操作と当該第１操作に伴う検知領域３ｙの拡大とを解除するとともに、第１操作を受け付けたアイコン２ｙの近隣の別のアイコン２ｘに対するタッチ操作の検知領域３ｘを従前の第１操作の前よりも拡大する。これにより、第１操作のときにアイコンの選択を間違った場合に、迅速に次の操作に対応することが可能になる。したがって、入力時の操作ミスの抑制に加えて、オーディオ装置に対する操作性を向上させることが可能になる。
【００５１】
なお、上記第２実施形態では第１操作に対するアイコンの変更をアイコン２ｙからアイコン２ｘのみとしたが、例えばアイコン２ｙからアイコン２ｘ、２ｚ等の複数のアイコンに変更し、各々の検知領域３ｘ、３ｚ等を拡大しても良い。
【００５２】
＜３．第３実施形態＞
次に、第３実施形態について説明する。図９は、入力装置１の概略構成を示す図である。図１０は、入力装置１による入力処理の流れの例を示すフローチャートである。なお、第３実施形態の基本的な構成は先に説明した第１実施形態と同じであるので、第１実施形態と異なる構成要素については以下で説明し、第１実施形態と共通する構成要素については詳細な説明を省略する。
【００５３】
第３実施形態の入力装置１は記憶部２０が、図９に示すように画像密集度２２を記憶する。画像密集度２２は表示部２の画面に表示された複数の機能画像であるアイコン等の密集度である。記憶部２０には、ナビゲーション装置、オーディオ装置、テレビ装置といった機器の機能の、数多くのシーンで用いられる画面に対して画像密集度２２が記憶される。画像密集度２２は、例えば画面全体に対して記憶しても良いし、画面上の所定のエリアに対して記憶しても良い。
【００５４】
例えばオーディオ装置が起動されると（図１０の「開始」）、表示部２にオーディオ装置の機能に係る機能画像であるアイコン等（図４参照）が表示される（図１０のステップＳ３１）。
【００５５】
そして、例えば表示部２の画面上の機能Ｙに係るアイコン２ｙに対して第１操作がなされた場合（ステップＳ３２のＹｅｓ）、制御部１０は記憶部２０に記憶された画像密集度２２に基づき画面全体、或いはアイコン２ｙ周辺の所定のエリアのアイコン等の密集度が所定値を超えているか否かを判定する（ステップＳ３３）。
【００５６】
画像密集度２２が所定値を超えている場合（ステップＳ３３のＹｅｓ）、アイコン２ｙに対する選択操作が仮確定され、制御部１０はアイコン２ｙに対する本確定のためにアイコン２ｙの検知領域３ｙを第１操作の前よりも拡大する（ステップＳ３４）。続いて、制御部１０はアイコン２ｙに対する第２操作を検知する（ステップＳ３５）。
【００５７】
一方、画像密集度２２が所定値を超えていない場合（ステップＳ３３のＮｏ）には、制御部１０はアイコン２ｙの検知領域３ｙを拡大することなく、アイコン２ｙに対する第２操作を検知する（ステップＳ３５）。
【００５８】
上記第３実施形態のように、入力装置１の制御部１０は、記憶部２０に記憶された画像密集度２２が予め定めた所定値を超え、且つアイコン２ｙに対する第１操作を受け付けた場合に、第１操作を受け付けたアイコン２ｙに対するタッチ操作の検知領域３ｙを第１操作の前よりも拡大する。これにより、画面全体、或いはアイコン２ｙ周辺の所定のエリアの画像密集度２２が比較的低い場合には検知領域の切り替えが不要になる。すなわち、入力時の操作ミスの抑制に加えて、入力装置１で行われる検知や表示に係るプロセスを低減させることができる。したがって、迅速な入力処理を実現することが可能になる。
【００５９】
＜４．第４実施形態＞
次に、第４実施形態について説明する。図１１は、入力装置１の表示部２における機能の選択過程を示す図である。なお、第４実施形態の基本的な構成は先に説明した第１実施形態と同じであるので、第１実施形態と異なる構成要素については以下で説明し、第１実施形態と共通する構成要素については詳細な説明を省略する。
【００６０】
第４実施形態の入力装置１では、機能画像であるアイコン等に対するタッチ操作の検知領域を第１操作の前よりも拡大する場合に、制御部１０がそのアイコン等の検知領域を表示部２の画面の中央を中心として拡大する。
【００６１】
例えば、制御部１０は第１選択時に、図１１の上段に示すように表示部２に複数の機能画像であるアイコンを表示させる。続いて、例えばアイコン２ｙに対して第１操作がなされた場合、制御部１０は、図１１の下段に示すようにアイコン２ｙの画像自体と、検知領域３ｙとを表示部２の画面の中央を中心として第１操作の前よりも拡大する。それに伴って、アイコン２ｘ、２ｚ及びその他のアイコン及び検知領域のサイズは、第１操作の前よりも縮小される。そして、例えば第１操作の前に表示部２の画面の中央に表示されていたアイコンは、第１操作の前のアイコン２ｙと位置が入れ替わる。
【００６２】
上記第４実施形態の構成によれば、第２操作時にアイコンが表示部２の画面の中央に移動して検知領域が拡大されるので、ユーザーの第２操作に対する操作性を高めることができる。したがって、機器の機能の実行及び設定の入力時において操作ミスを抑制する作用をより一層向上させることが可能になる。
【００６３】
＜５．第５実施形態＞
次に、第５実施形態について説明する。図１２は、入力装置１の表示部２における機能の選択過程を示す図である。図１３は、入力装置１の変形例の表示部２における機能の第2選択状態を示す図である。なお、第５実施形態の基本的な構成は先に説明した第１実施形態と同じであるので、第１実施形態と異なる構成要素については以下で説明し、第１実施形態と共通する構成要素については詳細な説明を省略する。
【００６４】
第５実施形態の入力装置１では、機能画像であるアイコン等に対するタッチ操作の検知領域を第１操作の前よりも拡大する場合に、制御部１０がそのアイコン等の検知領域を表示部２の画面の全体に拡大する。
【００６５】
例えば、制御部１０は第１選択時に、図１２の上段に示すように表示部２に複数の機能画像であるアイコンを表示させる。続いて、例えばアイコン２ｙに対して第１操作がなされた場合、制御部１０は、図１２の下段に示すようにアイコン２ｙの画像自体と、検知領域３ｙとを表示部２の画面の全体に第１操作の前よりも拡大する。それに伴って、アイコン２ｘ、２ｚ及びその他のアイコン及び検知領域は、表示部２の画面及びタッチ操作部３のタッチ領域から消去される。
【００６６】
上記第５実施形態の構成によれば、ユーザーは第２操作時に表示部２の画面の全体を利用して、アイコンに対する操作を確定することができる。したがって、機器の機能の実行及び設定の入力時において操作ミスを抑制する作用をより一層向上させることが可能になる。
【００６７】
なお、上記第５実施形態において、アイコンに対する検知領域のみを第１操作の前よりも拡大して表示部２の画面の全体に設定し、アイコンの画像自体は第１選択時のままにしても良い。
【００６８】
また、第５実施形態の変形例として、例えばアイコン２ｙに対して第１操作がなされた場合に、図１３に示すようにアイコン２ｙがポップアップされて拡大表示され、拡大表示されたアイコン２ｙに対してアイコン２ｙよりも若干大きい検知領域３ｙが設けられることにしても良い。
【００６９】
＜６．第６実施形態＞
次に、第６実施形態について説明する。図１４は、入力装置１の表示部２における機能の選択過程を示す図である。図１５は、入力装置１の変形例の表示部２における機能の第2選択状態を示す図である。なお、第６実施形態の基本的な構成は先に説明した第１実施形態と同じであるので、第１実施形態と異なる構成要素については以下で説明し、第１実施形態と共通する構成要素については詳細な説明を省略する。
【００７０】
第６実施形態の入力装置１では、機能画像であるアイコン等に対するタッチ操作の検知領域を第１操作の前よりも拡大する場合に、制御部１０がそのアイコン等の検知領域に近隣の別のアイコン等に対するタッチ操作の検知領域を併合する。さらに、制御部１０は検知領域を併合した近隣の別のアイコンを、第１操作を受け付けたアイコンと同じ画像に変更する。
【００７１】
例えば、制御部１０は第１選択時に、図１４の上段に示すように表示部２に複数の機能画像であるアイコンを表示させる。続いて、例えばアイコン２ｙに対して第１操作がなされた場合、制御部１０は、図１４の下段に示すようにアイコン２ｙの検知領域３ｙに、アイコン２ｘの検知領域３ｘと、アイコン２ｚの検知領域３ｚとを併合する。さらに、制御部１０は、アイコン２ｘ、２ｚの画像自体をアイコン２ｙの画像に変更する。
【００７２】
上記第６実施形態の構成によれば、タッチ操作の検知領域や表示部２の画面表示の構成を大幅に変更することなく、ユーザーによる第２操作の受け付け状態にすることが可能である。
【００７３】
なお、第６実施形態の変形例として、例えばアイコン２ｙに対して第１操作がなされた場合に、検知領域３ｙへの検知領域３ｘ、検知領域３ｙの併合に加えて、図１５に示すようにアイコン２ｙに、アイコン２ｘと、アイコン２ｚとを併合しても良い。
【００７４】
＜７．第７実施形態＞
次に、第７実施形態について説明する。図１６は、入力装置１の概略構成を示す図である。図１７は、入力装置１が搭載された車室の内部を後方から視た部分概略図である。なお、第７実施形態の基本的な構成は先に説明した第１実施形態と同じであるので、第１実施形態と異なる構成要素については以下で説明し、第１実施形態と共通する構成要素については詳細な説明を省略する。
【００７５】
第７実施形態の入力装置１は、図１６に示すタッチ操作部３及び表示部２を備える。タッチ操作部３は、図１７に示すように車両の運転席Ｕ１と助手席Ｕ２との間であって、運転者が操作可能な位置に設けられる。表示部２は、図１７に示すように車両のダッシュボードの中央部であって、運転者が視認可能な位置に設けられる。タッチ操作部３のタッチ領域上の位置は、タッチ操作部３に対して離隔する表示部２の画面上の位置に対応付けられる。
【００７６】
第７実施形態の構成のように、表示部２に対してタッチ操作部３が離隔して運転席Ｕ１の近くに設けられると、ユーザーは運転姿勢のままでタッチ操作部３に対して第１操作及び第２操作を行うことができる。なおこの場合、タッチ操作部３にタッチした位置と対応する表示部２の位置にカーソル等を表示することが好ましい。これにより、ユーザーは操作したいアイコンに対して、タッチ操作部３のどの位置をタッチすれば良いか容易に判断することができる。したがって、入力装置１におけるユーザーの操作性を向上させることが可能である。
【００７７】
＜８．変形例＞
以上、本発明の実施形態について説明したが、この発明は上記の実施形態に限定されるものではなく、様々な変形が可能である。以下では、上記実施形態の全体に係る変形例について説明する。なお、上記実施形態の全ての要素と、以下で説明する形態の全ての要素とは、適宜組み合わせて実施することができる。
【００７８】
上記実施形態では、入力装置１が車載装置であることとしたが、入力装置は家庭やオフィス、商店等で使用される装置であっても良い。また、入力装置は、プログラムを実行することで入力装置として機能するコンピュータであっても良い。このコンピュータとしては、携帯電話やスマートフォン、タブレット端末などの可搬性装置を含む。
【００７９】
また、上記実施形態において、入力装置１は、機能の実行及び設定に係る入力を受け付ける機器として、ナビゲーション装置、オーディオ装置、テレビ装置等を対象としたが、入力を受け付ける機器はこれらに限定されるわけではない。同様に、第１操作の後に検知領域が拡大される機能画像がアイコンに限定されるわけではなく、その他のボタン、タブ、スライドバー、ソフトキー、チェックボックスなどであっても良い。
【００８０】
一方、第１操作の後に検知領域が拡大される機能画像を、特定のアイコン等に限定しても良い。この限定されるアイコン等は、ユーザーが任意に選択することができる。これにより、例えばユーザーが操作し辛い大きさや配置にある所望のアイコン等のみに対して、第１操作の後に検知領域が拡大されることにすれば、入力装置の操作性がより一層向上する。
【００８１】
また、上記実施形態では、プログラムに従ったＣＰＵの演算処理によってソフトウェア的に各種の機能が実現されていると説明したが、これらの機能のうちの一部は電気的なハードウェア回路によって実現されても良い。また逆に、ハードウェア回路によって実現されるとした機能のうちの一部は、ソフトウェア的に実現されても良い。
【符号の説明】
【００８２】
１    入力装置
２    表示部
２ｘ、２ｙ、２ｚ    アイコン（機能画像）
３    タッチ操作部
３ｘ、３ｙ、３ｚ    検知領域
１０    制御部
２０    記憶部
【図１】
2018132937.tif 000003
【図２】
2018132937.tif 000004
【図３】
2018132937.tif 000005
【図４】
2018132937.tif 000006
【図５】
2018132937.tif 000007
【図６】
2018132937.tif 000008
【図７】
2018132937.tif 000009
【図８】
2018132937.tif 000010
【図９】
2018132937.tif 000011
【図１０】
2018132937.tif 000012
【図１１】
2018132937.tif 000013
【図１２】
2018132937.tif 000014
【図１３】
2018132937.tif 000015
【図１４】
2018132937.tif 000016
【図１５】
2018132937.tif 000017
【図１６】
2018132937.tif 000018
【図１７】
2018132937.tif 000019